(57)【要約】【課題】デジタルカメラに接続された外部モニタの画素数情報を検出した上で外部モニタに表示する最適なマルチ画面の表示形態を決定することが出来るデジタルカメラを提供する。【解決手段】画像データを表示する自身の表示部と、表示部を備えた表示機器とデータを授受するインタフェース部を介して、接続されている前記表示機器の表示部の水平及び垂直の画素数情報を判別する判別手段と、マルチ表示画面における複数の画像データ数を自身の表示部に対しては予め設定された所定の画像データ数に設定し、前記表示機器の表示部に対しては前記判別手段の判別結果に基づいた縮小画面数に設定する設定手段とを備える。【選択図】    図１  
2005080042.tif 000002
【特許請求の範囲】
【請求項１】
画像データを表示する第１表示部と、
画像データを表示する第２表示部を備えた表示機器とデータを授受するインタフェース部と、
前記インタフェース部を介して接続されている前記第２表示部の水平及び垂直の画素数情報を判別する判別手段と、
複数の画像データを同一画面内に同時に表示するマルチ表示画面における前記複数の画像データ数を前記第１表示部に対しては予め設定された所定の画像データ数に設定し、前記第２表示部に対しては前記判別手段の判別結果に基づいた縮小画面数に設定する設定手段とを備えたことを特徴とするデジタルカメラ。
【請求項２】
更に、前記設定手段が設定した前記所定の画像データ数、あるいは前記判別手段の判別結果に基づいた画像データ数のどちらかの画像データ数のマルチ表示画面を選択して前記インタフェース部から出力する出力手段を備えたことを特徴とする請求項１に記載のデジタルカメラ。
【請求項３】
更に、前記第１表示部に対して前記設定手段が設定した前記第２表示部に表示するマルチ画面の画像データ数と同一の画像データ数からなるマルチ表示画面を表示するよう指示する指示手段を備えたことを特徴とする請求項１に記載のデジタルカメラ。
【請求項４】
前記第２表示部に表示するマルチ画面の画像データ数は前記所定の画像データ数とは異なることを特徴とする請求項３に記載のデジタルカメラ。
【請求項５】
更に、前記第２表示部に表示するマルチ表示画面の出力データを前記インタフェース部から出力する出力手段と、
前記出力手段が前記出力データを出力した場合には前記第１表示部をオフするよう指示するオフ指示手段とを備えたことを特徴とする請求項１に記載のデジタルカメラ。
【請求項６】
画像データを表示する第１表示部と、
画像データを表示する第２表示部を備えた表示機器とデータを授受するインタフェース部と、
前記インタフェース部を介して接続されている前記第２表示部の水平及び垂直の画素数情報を判別する判別手段と、
複数の画像データを同一画面内に同時に表示するマルチ表示画面における前記複数の画像データの配列を前記第１表示部に対しては予め設定された所定の画像データの配列に設定し、前記第２表示部に対しては前記判別手段の判別結果に基づいた画像データの配列に設定する設定手段とを備えたことを特徴とするデジタルカメラ。
【請求項７】
更に、前記設定手段が設定した前記所定の画像データの配列、あるいは前記判別手段の判別結果に基づいた画像データの配列のどちらかの画像データ配列のマルチ表示画面を選択して前記インタフェース部から出力する出力手段を備えたことを特徴とする請求項６に記載のデジタルカメラ。
【請求項８】
更に、前記第１表示部に対して前記設定手段が設定した前記第２表示部に表示するマルチ画面の画像データ配列と同一の画像データ配列からなるマルチ表示画面を表示するよう指示する指示手段を備えたことを特徴とする請求項６に記載のデジタルカメラ。
【請求項９】
前記第２表示部に表示するマルチ画面内の画像データ配列は前記所定の画像データ配列とは異なることを特徴とする請求項８に記載のデジタルカメラ。
【請求項１０】
更に、前記第２表示部に表示するマルチ表示画面の出力データを前記インタフェース部から出力する出力手段と、
前記出力手段が前記出力データを出力した場合には前記第１表示部をオフするよう指示するオフ指示手段とを備えたことを特徴とする請求項６に記載のデジタルカメラ。
【請求項１１】
前記インタフェース部は前記表示機器とネットワークを介して前記データを授受することを特徴とする請求項１または請求項６の何れかに記載のデジタルカメラ。
【発明の詳細な説明】
【技術分野】
【０００１】
本発明は、デジタルカメラとネットワークを介して接続された大画面モニタでの画像データの表示方法に関する。
【背景技術】
【０００２】
従来、デジタルカメラで撮影あるいは再生された画像データはデジタルカメラに備わっている小型のＬＣＤモニタで確認していた。更に、より大きな画面で確認するためデジタルカメラからアナログあるいはデジタルのビデオ信号を出力して通常の家庭用テレビジョンの大画面で確認することもできる。更に、近年は種々の無線ＬＡＮ方式が提案されてきていて、そのうち、近距離無線通信方式の規格の一つであるＵＷＢ（Ｕｌｔｒａ  Ｗｉｄｅｂａｎｄ）やＩＥＥＥ８０２．１１ｇにおいては１００Ｍｂｐｓというデータ転送レートも実現されていて、大容量のデータ転送に伴う待ち時間も大幅に短縮されている。これらの機能を家庭内の機器に組み込み各機器間をこのような無線ＬＡＮで接続することで従来に無い新しい家庭内ネットワークを構成することが可能となってきている。
【０００３】
特開平１１−２１２７５５号公報には入力したモニタ画面に関する情報に基づいてモニタ画面に適した同時表示画像数及び縮小表示のサイズを決定する表示決定手段を有した画像表示装置（スキャナ）が開示されている。特開２００１−１６５４５号公報には外部表示装置が接続されているときには外部表示装置による表示に適した形態の映像信号を出力する映像再生装置が開示されている。具体的には縮小画像の表示形態を内蔵表示装置による表示形態に対して外部表示装置による表示形態は表示寸法比で小さく表示する。さらに、内蔵表示装置に供給する映像信号を外部表示装置に供給する映像信号と同じにするかまたは内蔵表示装置を表示しないようにすることも開示されている。
【発明の開示】
【発明が解決しようとする課題】
【０００４】
上述した従来技術においてはデジタルカメラに接続された外部モニタの画面の大きさによらず単に、固定した外部モニタ用のマルチ画面を出力している。あるいは外部モニタの大きさ情報を検出してはいるものの単に表示画面のサイズやアスペクト比等を検出するのみで出力画面のマルチ画面の表示形態を決めていた。
【０００５】
本発明においては、デジタルカメラに接続された外部モニタの画素数情報を検出した上で外部モニタに表示する最適なマルチ画面の表示形態を決定することが出来るデジタルカメラを提供することを目的とする。
【課題を解決するための手段】
【０００６】
上記問題点の解決のために、請求項１の発明は、画像データを表示する第１表示部と、画像データを表示する第２表示部を備えた表示機器とデータを授受するインタフェース部と、前記インタフェース部を介して接続されている前記第２表示部の水平及び垂直の画素数情報を判別する判別手段と、複数の画像データを同一画面内に同時に表示するマルチ表示画面における前記複数の画像データ数を前記第１表示部に対しては予め設定された所定の画像データ数に設定し、前記第２表示部に対しては前記判別手段の判別結果に基づいた縮小画面数に設定する設定手段とを備えたことを特徴としている。これによりデジタルカメラの表示部においては予め設定されたマルチ画面数であるのに対して、デジタルカメラに接続された表示機器に対してはその表示機器の画素数情報に応じた最適のマルチ画面の画像数を作成することが出来る。請求項２の発明は、更に、前記設定手段が設定した前記所定の画像データ数、あるいは前記判別手段の判別結果に基づいた画像データ数のどちら
かの画像データ数のマルチ表示画面を選択して前記インタフェース部から出力する出力手段を備えたことを特徴としている。
【０００７】
請求項３の発明は、更に、前記第１表示部に対して前記設定手段が設定した前記第２表示部に表示するマルチ画面の画像データ数と同一の画像データ数からなるマルチ表示画面を表示するよう指示する指示手段を備えたことを特徴としている。これにより外部表示機器と同一の画像数のマルチ画面をデジタルカメラの表示部に対して表示することが出来、請求項４の発明によると、前記第２表示部に表示するマルチ画面の画像データ数は前記所定の画像データ数とは異なることを特徴としている。請求項５の発明は、更に、前記第２表示部に表示するマルチ表示画面の出力データを前記インタフェース部から出力する出力手段と、前記出力手段が前記出力データを出力した場合には前記第１表示部をオフするよう指示するオフ指示手段とを備えたことを特徴としている。これにより、外部モニタ用画像データを出力したならばデジタルカメラ側のモニタをオフすることで、ユーザがデジタルカメラのモニタと外部モニタとで異なる数のマルチ画面が表示されることからくる混乱を避けることが出来る。
【０００８】
請求項６の発明は、画像データを表示する第１表示部と、画像データを表示する第２表示部を備えた表示機器とデータを授受するインタフェース部と、前記インタフェース部を介して接続されている前記第２表示部の水平及び垂直の画素数情報を判別する判別手段と、複数の画像データを同一画面内に同時に表示するマルチ表示画面における前記複数の画像データの配列を前記第１表示部に対しては予め設定された所定の画像データの配列に設定し、前記第２表示部に対しては前記判別手段の判別結果に基づいた画像データの配列に設定する設定手段とを備えたことを特徴としている。これにより例えば携帯電話のような縦長画面を通常の横長のＴＶモニタに表示するような場合に、同一の画像数のマルチ画面であっても表示画面の縦長画面や横長画面に応じて最適のマルチ画面配列を決定することが出来る。請求項７の発明は、更に、前記設定手段が設定した前記所定の画像データの配列、あるいは前記判別手段の判別結果に基づいた画像データの配列のどちらかの画像データ配列のマルチ表示画面を選択して前記インタフェース部から出力する出力手段を備えたことを特徴とする。請求項８の発明は、更に、前記第１表示部に対して前記設定手段が設定した前記第２表示部に表示するマルチ画面の画像データ配列と同一の画像データ配列からなるマルチ表示画面を表示するよう指示する指示手段を備えたことを特徴とする。請求項９の発明は、前記第２表示部に表示するマルチ画面内の画像データ配列は前記所定の画像データ配列とは異なることを特徴とする。請求項１０の発明は、更に、前記第２表示部に表示するマルチ表示画面の出力データを前記インタフェース部から出力する出力手段と、前記出力手段が前記出力データを出力した場合には前記第１表示部をオフするよう指示するオフ指示手段とを備えたことを特徴としている。これにより、外部モニタ用画像データを出力したならばデジタルカメラ側のモニタをオフすることで、ユーザがデジタルカメラのモニタと外部モニタとで異なる配列のマルチ画面が表示されることからくる混乱を避けることが出来る。請求項１１の発明は、前記インタフェース部は前記表示機器とネットワークを介して前記データを授受することを特徴としている。
【発明を実施するための最良の形態】
【０００９】
以下、図面を参照して本発明の実施の形態を説明する。
【００１０】
図１は、本発明のデジタルカメラ１についてその主要な機能を説明したブロック図である。
【００１１】
被写体を撮影する撮像部１０１は撮影レンズ、絞り、シャッタ、撮像素子、撮像素子を駆動するドライバ等から構成される。ここで撮像素子は撮像面上に結像された被写体像の光強度に応じた電気信号を出力する光電変換撮像素子であり、ＣＣＤ型やＭＯＳ型の固体
撮像素子が用いられる。この撮像部からの撮像信号はＡ／Ｄ変換器１０２によりデジタル信号に変換され一旦バッファメモリ１０３に記憶される。このバッファメモリは撮像部１０１で撮影された画像データを同時に複数フレーム分記憶しておくことができる。この撮像信号はＣＰＵ１０４の指示により処理回路１０５において輪郭強調、ガンマ補正、色補正、更には記録再生時の圧縮伸長処理等の処理が施される。この処理後の信号も前述したバッファメモリ１０３に一旦記憶する。必要に応じて前述の処理回路１０５で圧縮された画像データはデジタルカメラに着脱自在のメモリカード１０６に記録される。撮像部１０１で撮影されデジタル信号に変換された画像データは液晶（ＬＣＤ）モニタ１０７に表示される。このＬＣＤモニタ１０７はメモリカード１０６に記録されている画像データを再生表示するのにも使用される。この撮影または再生された画像データはインタフェース部１０８を通じて外部の表示装置へも送られる。この画像データを送出する際の表示機器との接続方法としてはＵＳＢ、ＩＥＥＥ１３９４等のケーブルを使用した接続や、無線ＬＡＮ、Ｂｌｕｅｔｏｏｔｈ等の無線での接続方法がある。本実施例においてはデジタルカメラと家庭内の各部屋に置かれたＴＶモニタ等の各種電化機器とが無線ＬＡＮによって家庭内ネットワークで互いに結ばれた状態にあるものとする。これら電化機器のうち、電源をオンした機器は互いに他の電源がオンしている機器のＩＤ（識別情報）を検出し、予め設定されている動作手順に従ってデータを送受信することが出来る。この時もしも複数の機器が検出された場合には予め定められた優先順位に従ってデータを送受信する機器が選択される。操作部材１０９は撮影開始を指示するシャッタ釦等を含み、詳細は図２で後述する。ＣＰＵ１０４はデジタルカメラ１の撮影や再生時の全体のシーケンスを制御する。このＣＰＵ１０４には更に、画像データの再生時に、１枚の画像を選択してからの経過時間を計測するカウンタ１０４１がある。この機能の詳細は後述する。
【００１２】
図２を使用して本発明によるデジタルカメラ１と外部大型表示装置２とを接続したときのそれぞれの装置での表示形態の一例を説明する。図２に置いて図１と同一の部材には同一番号が付けられている。外部大型表示装置（外部モニタ）２は大型表示画面２０１を備えた家庭用のＴＶモニタあるいはＴＶ受像機である。このＴＶ受像機は通常のＴＶ放送番組を受信する以外にデジタルカメラ１からのデータを直接受信アンテナ２０２で無線ＬＡＮのプロトコルで受信する。あるいは家庭内ネットワーク全体を管理する管理サーバを別途設置して、このサーバを経由して機器間で各種データを送受信する形態であっても良い。
【００１３】
デジタルカメラ１の外観部を説明する。前述した操作部材１０９は少なくとも１０９１〜１０９５で示される各釦から構成される。１０９１は撮影開始を指示するシャッタ釦である。１０９２は記録や再生モードを切り換えるセレクトダイアルである。１０９３はメニュー表示釦１０９４を押すことでＬＣＤモニタ１０７に表示される各種メニュー項目に対してカーソルを上下左右に移動させたり、メニュー表示された項目や機能の設定、および決定を行うためのマルチセレクタである。このマルチセレクタ１０９３は撮影時にはズームレンズのアップ、ダウンにも使用され、再生時には再生画像の更新、マルチ表示画面内での画面選択あるいは再生画面のズームアップやダウンにも使用される。１０９５はＬＣＤモニタにマルチ画面を再生するか１画面のみ再生するかを切り換えるマルチ表示切り換え釦である。１０６１はメモリカード１０６の挿入口である。１０８１は無線ＬＡＮプロトコルで外部モニタに各種データを送出するアンテナである。本発明の一実施形態として、この図２ではＬＣＤモニタ１０７に４駒のマルチ表示されている縮小画像のうち右下の太線枠で囲まれている画像（図では駒番号４が表示されている画像）が選択され、この選択された画像のデータがＴＶモニタ２に送られ、大画面２０１に表示されている。
【００１４】
次に図３〜図７のフローチャートを使用して本発明の動作を説明する。図３は外部モニタ２と接続された本発明によるデジタルカメラ１の全体の概略動作フローである。ステップＳ１１ではデジタルカメラ１の電源がオンしているか確認し、電源がオンしていたなら
ばステップＳ１２に進んで外部モニタ２と接続されているかどうかを前述した識別情報を認識することで確認する。ここで接続形態は前述した有線、無線何れの方法であっても良い。接続されていなかったならばステップＳ１３に進み電源がオフされたかどうか確認する。電源がオフされたならば本フローを終了し、オフされていなかったならばステップＳ１２に戻って外部モニタ２が接続されたかどうか確認する。外部モニタ２が接続されていなかった場合のこのステップＳ１２とステップＳ１３のループの途中において、デジタルカメラ単独で撮影あるいは再生動作をするがそれらについてはここでは本発明の説明には必要ないので省略している。
【００１５】
ステップＳ１２で外部モニタ２が接続されていることが確認されたならば、ステップＳ１４に進んでここで接続されている外部モニタ２から外部モニタ２の表示部２０１の水平・垂直画素数やアスペクト比等、外部モニタ２に関する情報を読み込む。ステップＳ１５においてはセレクトダイアル１０９２によって再生モードに設定されているかどうか判別する。撮影モードに設定されていた場合にはステップＳ１６に進んで撮影動作をする。もし再生モードに設定されていたならばステップＳ１７に進んで、再生モード時におけるＬＣＤモニタ１０７および外部モニタ２でのマルチ画面や選択画面の表示形態を設定する。この表示形態の具体的内容はステップＳ１８で説明する。表示形態の内、ＬＣＤモニタ１０７の表示を１画面再生からマルチ表示再生に切り換えるには前述したマルチ表示切り換え釦１０９５を押すことにより交互に表示画面が１画面再生とマルチ表示再生とで切り換わる。それ以外の表示形態については、メニュー表示釦１０９４を押しＬＣＤモニタ１０７に表示される選択メニュー（内容はステップＳ１０９で後述する）をマルチセレクタ１０９３で選択することで設定する。
【００１６】
ステップＳ１８ではステップＳ１７によって設定された再生モード時の表示形態に従ってＬＣＤモニタ１０７に再生画像を表示したり外部モニタ２に所定画面データを出力する。このステップＳ１８のモニタ再生の詳細については図４〜図７で説明する。ステップＳ１９ではデジタルカメラ１の電源がオフされたかどうか判別する。もしオフされていなかったならばステップＳ１５に戻り、オフされていた場合には本フローを終了する。
【００１７】
図４〜図７を使用して図３ステップＳ１８のモニタ再生について説明する。まず、図４ステップＳ１０１では前述したようにマルチ表示切り換え釦１０９５が押され、ＬＣＤモニタ１０７にマルチ表示するように設定されているかどうか判別する。もしもマルチ表示するように設定されている場合にはＬＣＤモニタ１０７に図２に示すように４画像のマルチ表示をして図５ステップＳ１０９に進む。この際のマルチ表示する画像数についてもマルチセレクタ１０９３で９画像等の他の画像数に設定することが出来る。
【００１８】
マルチ表示するように設定されていなかった場合にはステップＳ１０２に進み図１で説明したカウンタ１０４１をリセットするとともにステップＳ１０３でメモリカード１０６に一番最後に記録されている画像をＬＣＤモニタ１０７に１画面表示する。ステップＳ１０４ではカウンタ１０４１がリセットしたのち１画面表示を開始してから所定の時間が経過したかどうか判別する。もし予め設定されている一定時間経過していなかった場合にはステップＳ１０６に進み、一定時間経過していた場合にはステップＳ１０５に進んで外部モニタ２にＬＣＤモニタ１０７に表示している画面と同一の画像データを送出する。ステップＳ１０６では次画面を選択するための操作がされたかどうか判別する。この選択にはマルチセレクタ１０９３のＵＰ／ＤＯＷＮ機能を利用する。もし次画面が選択されたならばステップＳ１０２に戻ってカウンタ１０４１をリセットする。次画面が選択されなかったならばステップＳ１０７に進んでここでＬＣＤモニタ１０７にマルチ表示するよう設定されたかどうか再度判別する。もしここでマルチ表示するよう設定された場合には図５ステップＳ１０９に進み、マルチ表示設定されていないと判別された場合にはステップＳ１０８に進む。ステップＳ１０８ではセレクトダイアル１０９２で再生モード以外に設定さ
れたかどうか判別する。もし引き続いて再生モードに設定されていたならばステップＳ１０３に戻ってＬＣＤモニタ１０７にここまで選択表示していた画像を継続表示する。ステップＳ１０８で再生モードが終了したと判別されたならば本フローを終了する。
【００１９】
この様にして、デジタルカメラ１のＬＣＤモニタ１０７ではマルチセレクタ１０９３のＵＰ／ＤＯＷＮ操作に対応して１画面毎の再生画像が次々と表示されるのに対して、外部モニタ２の大画面２０１では予め設定された所定期間内に次の画面が選択されたとしてもこの画面は表示されない。図８に基づいてこの表示形態を説明する。図８の上段はＬＣＤモニタ１０７の画像表示のタイミングである。下段は外部モニタでの表示画面を示す。この図において画面Ａが選択されてから一定期間（Ｔ）経過後に画面Ａが外部モニタ２に表示され始める。その後画面Ｂ、Ｃを選択した後は一定期間経過していないのでＡの画面が表示され続ける。その後画面Ｄを選択後一定期間後に初めて画面表示がＡからＤに変更になる。これにより、外部モニタ２では再生画面が次々と変更表示されることによる見苦しさを防ぐことが出来る。また、実際には表示したくない画像データについては送信しないのでカメラ動作及びネットワークの回線使用が効率的に行われる。ここで一定時間とは０．５秒程度が適しているが、使用者に応じてこの値は変更可能にしておけるようにした方がよい。変更は前述のメニュー表示ボタン１０９４及びマルチセレクタ１０９３で容易に設定することが出来る。
【００２０】
ステップＳ１０１あるいはステップＳ１０７でマルチ表示切り換え釦１０９５によってマルチ表示に切り換えられたと判別されたならば図５ステップＳ１０９に進む。ここではＬＣＤモニタ１０７に表示しているマルチ画面と同じマルチ画面を外部モニタ２に出力するか、あるいはＬＣＤモニタ１０７に表示しているマルチ画面の中から選択した単一の画像のみを外部モニタ２に出力する設定になっているかどうかを判別する。この設定は、メニュー表示釦１０９４を押して表示される選択メニューの項目中から外部モニタ出力画面選択という項目を選択する（不図示）。選択後にはマルチ画面出力及び選択画像出力という二つの項目が表示される（不図示）のでこの中から何れかの項目を選択することで設定される。選択にはマルチセレクタ１０９３を使用する。このうち、選択画像を出力するように設定されていた場合にはステップＳ１１５に進み、マルチ画面を出力するよう設定されていた場合にはステップＳ１１０に進む。ステップＳ１１０ではＬＣＤモニタ１０７及び外部モニタ２に対してマルチ画面を表示するためにそれぞれの表示画面用のマルチ画面データを作成する。このステップＳ１１０の詳細については図７を基に後述する。ステップＳ１１１では表示しているＬＣＤモニタ１０７あるいは外部モニタ２のマルチ画面を更新するように指示がされたかどうか判別する。このマルチ画面を更新する方法の一例としては図２に示されるマルチセレクタ１０９３を使用してマルチ画面内に表示されている画像選択用のカーソル（図２の場合に駒番号４の画面を囲っている太枠）を左上あるいは右下に持ってきて更に同一方向に移動させることで新たな４画像あるいは９画像が表示される。この様にして更新指示がされた場合にはステップＳ１１０に戻ってＬＣＤモニタ１０７あるいは外部モニタ２にマルチ画面を表示する。もしステップＳ１１１で更新指示されなかった場合にはステップＳ１１２でマルチ表示切り換え釦１０９５によって単一画面表示設定に変更されたかどうか判別する。もしマルチ表示設定のままだったならばステップＳ１０９に戻り、単一表示にするように変更設定されたと判別されたならばステップＳ１１３に進みここでＬＣＤモニタ１０７がオフされているかどうか判別する。これは図７のステップＳ１１０の詳細説明のところで説明するが、ＬＣＤモニタ１０７がオフしている場合があるからである。もしオフしていたならばステップＳ１１４でＬＣＤモニタ１０７をオンし、オンしていたならばそのまま図４ステップＳ１０２に戻る。
【００２１】
ステップＳ１０９でマルチ画面から選択した１画像のみを外部ＴＶモニタ２に出力するように設定されていた場合には図６ステップＳ１１５に進みＬＣＤモニタ１０７に表示するためのマルチ画面を作成する。ステップＳ１１６では作成したマルチ画面に所定画像を
選択するためのカーソルを重畳してＬＣＤモニタ１０７に表示する。図２にこの表示例を示す。本来、マルチ画面表示された最初の画面においては縮小画像の左上画像（この図の場合は駒番号１）が太いカーソルで囲まれ、選択されていることを示すが、図２においてはマルチセレクタ１０９３によって駒番号４が選択されている場合を示している。ステップＳ１１７ステップＳ１０２と同様にカウンタ１０４１をリセットする。ステップＳ１１８では選択された太いカーソルで囲まれた画像が一定期間選択されたままになっているかどうか判別する。ここでもステップＳ１０４での一定期間経過した場合と同一の理由で、一定期間経過していなかったならばステップＳ１２０に進み、一定期間経過していたならばステップＳ１１９に進んでカーソルによって選択された画像のデータを外部モニタ２に出力する。ステップＳ１２０ではマルチセレクタ１０９３によって次画像が選択されたかどうか判別する。もし選択されたならばステップＳ１１６に戻り、カーソル位置の異なるマルチ画面を表示する。次画面が選択されなかったならばステップＳ１２１に進んでここでマルチ画面の更新指示がされたかどうか判別する。
【００２２】
もし、更新指示がされた場合にはステップＳ１１５に戻ってＬＣＤモニタ１０７用の新たなマルチ画面を作成する。更新指示がされなかった場合にはステップＳ１２２に進んでここで再度前述したステップＳ１０９と同様に、カーソルで選択された画像のデータを外部モニタ２に出力する設定になっているかどうか判別する。もし設定が変更されてマルチ画面を出力する設定になっていたならばステップＳ１１０に戻って外部モニタ２にマルチ画面を出力するシーケンスに進み、設定が変更されていなかったならばステップＳ１２３に進む。このステップＳ１２３においてはここまでのＬＣＤモニタ１０７のマルチ表示設定が変更されたかどうか判別する。もし設定が変更されたならば単一画面表示のフローであるステップＳ１０２に戻る。設定変更されていなかったならば、ステップＳ１２４に進んでここで再生モードが終了されたかどうか判別する。再生が終了されたと判別されたならば本フローを終了し、終了していなかったならばステップＳ１１８に戻って選択画像を外部モニタ２に出力するフローを繰り返す。
【００２３】
ここまで説明してきたシーケンスによってＬＣＤモニタ１０７ではマルチ表示するとともに外部モニタ２ではＬＣＤモニタ１０７でマルチ表示している縮小画像の中から選択した１画画像のみを外部の大画面に表示することが出来る。これにより外部モニタで大画面で１つの画像を表示しているときであっても、他にどのような画像が記録されているかがデジタルカメラのＬＣＤモニタで確認できるので容易に他の画像をデジタルカメラで検索することが出来る。またその場合にも、短期間に他の画像を選択しようとしてカーソルを動かした場合にはそのカーソルを動かす前に選択していた画像は外部モニタ２には出力されない。なお動画記録可能なデジタルカメラにおいて、メモリカード１０６に動画とその内容を示す代表画面あるいは記録内容を示す文字データ等が同時に記録されている場合には、ＬＣＤモニタ１０７で前記代表画面あるいは文字データを一覧表示して外部モニタ２には選択動画を表示することも可能である。
【００２４】
次に図７を使用して図５ステップＳ１１０のＬＣＤモニタ１０７および外部モニタ２のマルチ画面の作成と出力について説明する。ステップＳ１３０ではＬＣＤモニタ１０７に表示するマルチ画面と同一のマルチ画面データを外部モニタ２に出力する設定になっているかどうか判別する。この設定は予めメニュー表示ボタン１０９４とマルチセレクタ１０９３とを使用して設定することが出来るがデフォルトで何れかに予め設定されておくようにしても良い。もしＬＣＤモニタ１０７の表示と同一のマルチ画面を外部モニタ２に出力するよう設定されていたならばステップＳ１３１に進み、そうでなかったならばステップＳ１３２に進む。ステップＳ１３２では図３ステップＳ１４で読み込んだ外部モニタ情報の中から接続された外部モニタ２の水平と垂直の画素数を判別する。ステップＳ１３３ではこの判別した画素数に応じて外部モニタ２の大画面２０１に表示するマルチ画面内の縮小画像の配列と画像数とを決定する。
【００２５】
ステップＳ１３４ではステップＳ１３３で決定した配列または画像数がＬＣＤモニタ１０７に表示するそれとは異なっているかどうか判別する。もし同一であった場合にはステップＳ１３１に進み、異なっていた場合にはステップＳ１３５に進む。ステップＳ１３５ではＬＣＤモニタ１０７がオンしているかどうか判別する。もしオンしていた場合は、ＬＣＤモニタ１０７と外部モニタ３とで表示内容が異なっていることからデジタルカメラ１のマルチセレクタ１０９３で画像を選択する際にユーザが混乱してしまう。これを避けるためにＬＣＤモニタ１０７の表示をオフし、ステップＳ１３７で外部モニタ２用のマルチ画面データを出力する。ステップＳ１３４でＬＣＤモニタ１０７と外部モニタ２の画面が同一のマルチ画面であった場合にはステップＳ１３１に進んでＬＣＤモニタ１０７用のマルチ画面を作成するとともにステップＳ１３８で外部モニタ２に対してＬＣＤモニタ１０７で表示するマルチ画面と同一のマルチ画面のデータを出力する。
【００２６】
図８にここまで説明してきたマルチ画面の表示例を示す。図８においてデジタルカメラ１は図２に説明したデジタルカメラと同一である。外部モニタ３は図２の外部モニタ２とは異なったハイビジョン等の横長大画面モニタである。デジタルカメラ１はこの外部モニタ３の縦横画素数を基にＬＣＤモニタ１０７では図２に示すように４画像のマルチ表示であったのに対して図に示すように２×３個の画像を表示している。更に、デジタルカメラ側のＬＣＤモニタ１０７では図２に示したように本来は４画像の縮小画面をマルチ表示するのに対して外部モニタ３が接続された状態では図８に示すように外部モニタ３に対して６画面分の画像データを送出するとともに自身のＬＣＤモニタ１０７はオフしている。この様に外部モニタに表示するマルチ画面の画像数がデジタルカメラのＬＣＤモニタに表示する画像数と異なっている場合にはそれら画像の表示配列が換わるのは当然であるが、たとえ表示画像数が変わらなくとも配列が変わる場合もある。例えば、携帯電話の縦長画面を外部の普通のＴＶモニタ等の横長画面に表示したい場合などがそれにあたる。この場合にも携帯電話のＬＣＤモニタはオフした方がよい。
【図面の簡単な説明】
【００２７】
【図１】本発明によるデジタルカメラの構成を示すブロック図である。
【図２】本発明によるデジタルカメラと外部モニタの表示形態の一例を説明する図である。
【図３】本発明によるデジタルカメラの再生動作を説明するフローチャートである。
【図４】本発明によるデジタルカメラおよび外部モニタの表示動作を説明するフローチャートである。
【図５】本発明によるデジタルカメラおよび外部モニタの表示動作を説明するフローチャートである。
【図６】本発明によるデジタルカメラおよび外部モニタの表示動作を説明するフローチャートである。
【図７】本発明によるデジタルカメラおよび外部モニタの表示動作を説明するフローチャートである。
【図８】本発明によるデジタルカメラおよび外部モニタの画像の表示のタイミングを示す図である。
【図９】本発明によるデジタルカメラおよび外部モニタの表示形態の他の一例を説明する図である。
【符号の説明】
【００２８】
１      デジタルカメラ
１０１  撮像部
１０２  Ａ／Ｄ変換器
１０３  バッファメモリ
１０４  ＣＰＵ
１０５  処理回路
１０６  メモリカード
１０７  ＬＣＤモニタ
１０８  インタフェース
１０９  操作部材
２      外部モニタ
２０１  大型画面
２０２  受信アンテナ
１０４１  カウンタ
１０６１  カード挿入口
１０８１  送信アンテナ
１０９１  シャッタ釦
１０９２  セレクトダイアル
１０９３  マルチセレクタ
１０９４  メニュー表示釦
１０９５  マルチ表示切り換え釦
３        横長外部モニタ
【図１】
2005080042.tif 000003
【図２】
2005080042.tif 000004
【図３】
2005080042.tif 000005
【図４】
2005080042.tif 000006
【図５】
2005080042.tif 000007
【図６】
2005080042.tif 000008
【図７】
2005080042.tif 000009
【図８】
2005080042.tif 000010
【図９】
2005080042.tif 000011